(57)【要約】【課題】  表示体を表示体本体とその取付板とに分け、下地に固着した取付板に対し、表示体を、着脱手段を介して着脱することができるようにする。表示体の発光面や光源のメンテナンスに際して下地などを傷付けないようにする。【解決手段】  表示体本体２を下地１００に固着した取付板３に着脱手段４を介して装着してある。着脱手段４が、表示体本体２側の係合部４１と取付板３側の被係合部４５とを備えている。係合部４１は、被係合部４５の係止片４７に離脱可能に引掛けられる鉤形に形成されている。係合部４１の鉤形を、軸部４２と鍔部４３とによって形作る。着脱手段４による装着状態を抜止め機構６によってロックすることができるようになってい。【選択図】        図３
0003127738.tif 000002
【実用新案登録請求の範囲】
【請求項１】
表示体本体が下地に固着された取付板に着脱手段を介して接触状態に重なり合って装着されていて、その着脱手段が互いに係脱可能な係合部と被係合部とを備え、表示体本体及び取付板から選ばれる一方側部材に上記係合部が備わり、他方側部材に上記被係合部が備わっていることを特徴とする表示体の取付構造。
【請求項２】
上記取付板に上記表示体本体が複数箇所で上記着脱手段を介して取り付けられていて、それぞれの上記着脱手段において、上記係合部が、上記被係合部に具備されている係止片に離脱可能に引掛けられる鉤形に形成されている請求項１に記載した表示体の取付構造。
【請求項３】
上記係合部の鉤形が、上記一方形部材から突き出た軸部とその軸部の先端に設けられた鍔部とによって形作られ、上記被係合部が、上記他方側部材に形成されて上記鍔部が挿抜される孔部と、上記係止片と、上記係止片により上記孔部に連続して形作られて上記軸部が上記孔部を始点として入出されるスライド溝部と、を有していて、それぞれの上記着脱手段において上記スライド溝部に対する上記軸部の入出方向が同一方向に定められていると共に、上記スライド溝部に上記軸部が挿入されることによって上記係止片が上記鍔部と上記一方側部材とによって挟持されるようになっている請求項２に記載した表示体の取付構造。
【請求項４】
上記スライド溝部が、そのスライド溝部に挿入された上記軸部をその幅方向で位置決めする機能を有している請求項３に記載した表示体の取付構造。
【請求項５】
上記スライド溝部に挿入された上記軸部が、そのスライド溝部から抜け出ることを阻止する抜止め機構が追加されている請求項４に記載した表示体の取付構造。
【請求項６】
上記抜止め機構が、上記一方側部材に設けられて、上記ピンが上記スライド溝部に入出されるときに他方側部材に形成された凹入部内で移動されるピンと、上記取付板の側方から行う操作を通じて上記凹入部に抜き差しされ、かつ、上記ピンが上記スライド溝部に挿入されているときに上記凹入部に差し込まれることにより上記ピンに係合してそのピンの移動を阻止する差込み片とからなる請求項５に記載した表示体の取付構造。
【考案の詳細な説明】
【技術分野】
【０００１】
本考案は、切り文字などの文字や文字列、図柄、マークなどを表示するための表示体を建物壁面やその他の下地に設置することに採用することのできる表示体の取付構造に関する。
【背景技術】
【０００２】
従来より、透光性を有する合成樹脂体に埋め込んだ光源としてのＬＥＤランプの光でその合成樹脂体の表面を発光させる面発光装置が知られていた（たとえば、特許文献１参照）。
【０００３】
一方、図１０に表示体の取付構造の従来例を説明的に示してある。同図の取付構造は、建物壁面などを下地としてＬＥＤランプを内蔵する表示体を取り付けた場合の事例である。同図のように、表示体１は、下地１００の貫通孔１１０に挿通させたボルト１２０の一端部に結合されていて、そのボルト１２０の他端部にナット１３０をねじ込んで締め付けることにより下地１００に取り付けられている。また、下地１００に設置した電線管１４０に、表示体１から引き出された電気コード（不図示）が挿通されるようになっている。この取付構造において、表示体１の裏面が下地１００の表面に接着剤で接合されていることもある。
【０００４】
このように下地１００に取り付けられている表示体１では、それに内蔵されているＬＥＤランプに通電してそれを発光させると、ＬＥＤランプの発光色あるいは表示体１に用いられている樹脂の色に見合う色で、表示体１によって象られている文字や文字列、図柄、マークなどが発光表示される。
【０００５】
ところで、表示体１の発光面や光源のメンテナンスを行ったり、古くなった表示体１を同じ形の新しいものに取り換えたり、表示体１による表示色を変えたりしたいときが多々あり、そのときには、表示体１を、下地１００から取り外したり下地１００に取り付けなおしたりする必要が生じる。このうち、表示体１を取り外すときには、図１０に示したナット１３０を取り外してボルト１２０を下地１００から引き抜いたり、表示体１が下地１００に接着剤で接合されているときにはその表示体１を下地１００から剥離したりする作業を行うことが必要になるのに対し、表示体１を取り付けるときには、ボルト１２０を下地１００の貫通孔１１０に挿通させたり、ボルト１２０にナット１３０をねじ込んだり、表示体１を接着剤で下地１００に接合したりする作業を行うことが必要になる。
【０００６】
【特許文献１】特開２００５−１２３３５７号公報
【考案の開示】
【考案が解決しようとする課題】
【０００７】
しかしながら、従来例としての取付構造においては、上記の作業を行って表示体１を下地１００に取り付けたり下地１００から取り外したりすることに多大な労力を要することに加えて手間がかかるという問題があった。また、表示体１が下地１００に接着剤で接合されているときには、下地１００に接合されている表示体１を下地１００から剥がし取る際に、マイナスドライバやへらなどの工具を下地１００と表示体１との間に分け入れてこじるといった作業を行うことを余儀なくされる場合があり、そのときには、工具によって下地１００や表示体１を傷付けたり損傷したりしてしまうおそれがあった。そして、仮に下地１００が傷付いたりするとその下地１００の修復が必要になったり、また、表示体１が傷付くとその再使用が不可能になったりする、といった二次的問題が発生する。
【０００８】
本考案は、以上の問題や事情に鑑みてなされたものであり、表示体を表示体本体とその取付板とによって構成した上で、下地に固着した取付板に対して表示体を着脱することができるような対策を講じることにより、表示体の発光面や光源のメンテナンス、古くなった表示体の取替え、表示色の変更などについては、取付板から取り外した表示体本体に対してそれらの事項を行うことによって対処することができるようにすると共に、取付板に対する表示体本体の着脱作業を、下地や表示体本体を傷付けたり損傷したりすることなく、少ない労力で容易に、しかも、短時間で行うことのできる表示体の取付構造を提供することを目的とする。
【０００９】
また、本考案は、取付板と表示体本体との着脱に用いられる着脱手段として、ビスや接着剤といった着脱に手間のかかる手段ではなく、着脱操作を容易迅速に行うことのできる手段を採用した表示体の取付構造を提供することを目的とする。
【課題を解決するための手段】
【００１０】
本考案に係る表示体の取付構造では、表示体本体が下地に固着された取付板に着脱手段を介して接触状態に重なり合って装着されていて、その着脱手段が互いに係脱可能な係合部と被係合部とを備え、表示体本体及び取付板から選ばれる一方側部材に上記係合部が備わり、他方側部材に上記被係合部が備わっている。
【００１１】
この構成であると、表示体が、表示体本体と下地に固着される取付板とに分かれているので、表示体の発光面のメンテナンス、古くなった表示体の取替え、表示色の変更の要求に対しては、表示体本体の発光面のメンテナンス、古くなった表示体本体の取替え、表示色の変更を行うだけで対処することが可能になる。そして、表示体本体が、下地に対してではなく、下地に固着されている取付板に対して着脱され、しかも、両者の着脱手段が互いに係脱可能な係合部と被係合部とを備えていることにより、両者をビスで結合したり接着剤で接合したりするものに比べて着脱操作を少ない労力で容易に、しかも短時間で行うことができるようになる。ここで、表示色の変更とは、表示体本体の色を変更することのほか、光源の光で発光する表示体にあっては光源としてのＬＥＤを発光色の異なるものに変更したりすることであり、この表示色の変更を行うことは、発光色を記念日にだけ通常日とは異ならせたいというような要求に対して有益である。
【００１２】
本考案では、上記取付板に上記表示体本体が複数箇所で上記着脱手段を介して取り付けられていて、それぞれの上記着脱手段において、上記係合部が、上記被係合部に具備されている係止片に離脱可能に引掛けられる鉤形に形成されていることが望ましい。これによれば、鉤形の係合部を被係合部の係止片に着脱する操作が容易になって取付板に対する表示体本体の着脱操作性が向上するだけでなく、表示体本体が取付板に複数箇所で取り付けられてその取付強度や取付安定性が向上する。
【００１３】
本考案では、上記係合部の鉤形が、上記一方形部材から突き出た軸部とその軸部の先端に設けられた鍔部とによって形作られ、上記被係合部が、上記他方側部材に形成されて上記鍔部が挿抜される孔部と、上記係止片と、上記係止片により上記孔部に連続して形作られて上記軸部が上記孔部を始点として入出されるスライド溝部と、を有していて、それぞれの上記着脱手段において上記スライド溝部に対する上記軸部の入出方向が同一方向に定められていると共に、上記スライド溝部に上記軸部が挿入されることによって上記係止片が上記鍔部と上記一方側部材とによって挟持されるようになっている、という構成を採用することが可能である。この構成であると、取付板に対して表示体本体を重ね合わせてスライドさせるという操作を１回だけ行うことによって、全部の着脱手段についての着脱が行われるという利便性があるだけでなく、複数箇所に設けられている着脱手段の係止片が鍔部と一方側部材とにより挟持されて上記した取付強度や取付安定性がいっそう向上する。
【００１４】
本考案では、上記スライド溝部が、そのスライド溝部に挿入された上記軸部をその幅方向で位置決めする機能を有していることが望ましく、この構成を採用することによって、取付板に対して表示体本体が位置決めされるために、両者が位置ずれして見栄えが悪くなるという不都合を生じにくくなる。
【００１５】
本考案では、上記スライド溝部に挿入された上記軸部が、そのスライド溝部から抜け出ることを阻止する抜止め機構が追加されていることが望ましく、この構成を採用することによって、着脱手段を上記した係合部と被係合部とによって構成してその着脱操作性を高めても、抜止め機構の作用によって表示体本体が取付板から容易に外れてしまうという事態が起こらなくなる。
【００１６】
そして、この抜止め機構が、上記一方側部材に設けられて、上記ピンが上記スライド溝部に入出されるときに他方側部材に形成された凹入部内で移動されるピンと、上記取付板の側方から行う操作を通じて上記凹入部に抜き差しされ、かつ、上記ピンが上記スライド溝部に挿入されているときに上記凹入部に差し込まれることにより上記ピンに係合してそのピンの移動を阻止する差込み片とからなる、という構成を採用することが可能である。この構成の抜止め機構は、ピンと差込み片とによって安価に構成することが可能である。
【考案の効果】
【００１７】
以上のように、本考案によれば、表示体を表示体本体とその取付板とに分け、下地に固着した取付板に対し、表示体本体を、互いに着脱可能な係合部と被係合部とで構成された着脱手段を介して着脱することができるような対策を講じてあるので、表示体の発光面や光源のメンテナンス、古くなった表示体の取替え、表示色の変更などについては、取付板から取り外した表示体本体に対してそれらの事項を行うことによって対処することができるようになり、しかも、取付板に対する表示体本体の着脱作業を、下地や表示体本体を傷付けたり損傷したりすることなく、少ない労力で容易に、しかも、短時間で行うことができるようになるという効果が奏される。
【考案を実施するための最良の形態】
【００１８】
図１は本考案の実施形態に係る取付構造を採用して下地１００に取り付けられた表示体１の正面図、図２は図１のＩＩ矢視図、図３は同取付構造の分解側面図、図４は取付板３の正面図、図５は表示体本体２の裏面図、図６は取付手順の初期段階を示した一部破断側面図、図７は取付構造の一部破断側面図、図８は抜止め機構による抜止め状態の正面図、図９は差込み片を引き抜く操作を説明的に示した縦断側面図である。
【００１９】
図１及び図２において、１は表示体、１００は下地であって、図２で判るように表示体１は表示体本体２と取付板３とに分かれている。表示体本体２は、光透過性を有する樹脂、たとえばアクリル樹脂を用いて、文字や文字列、図柄、マークなどを象った形状に形成されている。また、表示体本体２としては、ＬＥＤなどの点光源やその他の線光源といった光源が埋め込まれていて、その光源の光で表示体本体２の表面を発光させるものであっても、ただ単に上記した文字などを象ったものであってもよい。この実施形態では、表示体本体２がアルファベットの「ａ」を表示している。これに対し、取付板３は、表示体本体２と同じ形状及び大きさに形成された薄板でなり、具体的には樹脂板や板金、好ましくは樹脂板が用いられる。
【００２０】
図３によって類推できるように、この取付構造では、下地１００に取付板３が固着され、そのように下地１００に固着されている取付板３に表示体本体２が接触状態で重なり合って装着されている。同図では、取付板３が下地１００にビス１０１を用いてビス止めすることによって固着される事例を示してあるけれども、固着手段にはビスのほか、接着剤、ボルトナット、その他の手段を適宜用いることができる。このように取付板３を下地１００に容易に取り外すことのできない手段で固着する理由は、表示体１が表示体本体２と取付板３とに分かれていて、表示体１の発光面や光源のメンテナンス、古くなった表示体の取替え、表示色の変更などについては、取付板３から取り外した表示体本体２に対してそれらの事項を行うことによって対処することができるという点のほか、下地１００に対して直接に表示体１を着脱することは、下地１００を傷付けるおそれが大きいこと、再装着による位置ずれによって下地１００の汚れが目立つこと、などを挙げることができる。なお、下地１００には、建物の屋外壁面やガラス面、看板下地などの各種対象物が含まれる。
【００２１】
この取付構造では、表示体本体２が取付板３に着脱手段４を介して装着されている。図３に説明的に示してあるように、着脱手段４は、互いに係脱可能な係合部４１と被係合部４５とを備えていて、図示例では係合部４１が表示体本体２の裏面側に設けられ、被係合部４５が取付板３に設けられている。また、この取付構造では、図３に説明的に示したように抜止め機構６が追加して装備されている。この抜止め機構６は、ピン６１や凹入部６５、差込み片（不図示）などを備えていて、この抜止め機構６の作用によって、取付板３に装着されている表示体本体２が屋外での風圧、或いは、振動などの影響を受けても容易に脱落しないようになる。なお、着脱手段４及び抜止め機構６についてはさらに後述する。
【００２２】
図５、図６及び図７のように、着脱手段４を構成している係合部４１は、表示体本体２の裏面から突き出た軸部４２とその軸部４２の先端に設けられた鍔部４３とによって形成されていて、その特徴的な形状としては、軸部４２とその軸部４２から直角又は略直角に突出した鍔部４３とによって形作られた鉤形を挙げることができる。このような鉤形の係合部４１の相手方である被係合部４５は、取付板３に開設された貫通孔でなる孔部４６と、係止片４７と、この係止片４７により孔部４６に連続して形作られたスライド溝部４８とを有していて、係止片４７を薄肉に形成することによって、その係止片４７の裏側に、上記孔部４６の直径と同一幅の凹所４９を形成してある。そして、係止片４７の厚さが上記係合部４１の鍔部４３と表示体本体２の裏面との間隔寸法と同一又は略同一寸法に定めれているほか、上記孔部４６の直径及び上記凹所４９の幅は、上記係合部４１の鍔部４３の直径よりも少し大きい寸法に定められていると共に、スライド溝部４８の溝幅が上記軸部４２の直径よりも広くて鍔部４３の直径よりも短く定められている。
【００２３】
この実施形態において、表示体本体２は３箇所の着脱手段４を介して取付板３に取り付けられようになっている。そのため、図４及び図５で判るように、着脱手段４の係合部４１が表示体本体２の裏面側の３箇所に配備され、かつ、着脱手段４の被係合部４５が取付板３の表面側の３箇所に配備されている。
【００２４】
この着脱手段４を採用した取付構造において、取付板３に表示体本体２を装着する手順の一例を図６及び図７を参照して説明する。
【００２５】
最初の段階では、下地１００に固着されている取付板３に表示体本体２を重ね合わせることにより、図６のように、それぞれの着脱手段４の係合部４１に備わっている鍔部４３を被係合部４５の孔部４６に挿入する。次に、表示体本体２を取付板３上で図６矢印Ａのようにスライドさせることにより、係合部４１に備わっている軸部４２を被係合部４５のスライド溝部４８に挿入する。この操作を行うと、図７のように、スライド溝部４８に軸部４２が挿入されて係止片４７が鍔部４３と表示体本体２とにより挟持されて、表示体本体２が取付板３に３箇所の着脱手段４を介して取り付けられる。そして、この実施形態では、３箇所の着脱手段４のそれぞれのスライド溝部４８の溝幅を軸部４２の直径と略同一寸法に形成してある。そのため、スライド溝部３８に挿入された軸部４２がそのスライド溝部４８の溝幅方向両側で係止片４７に係合することになり、これによって表示体本体２が取付板３に対してスライド溝部３８の溝幅方向で動かないように位置決めされている。このような位置決め作用は、スライド溝部４８の位置決め機能によっている。
【００２６】
図３又は図５のように、抜止め機構６のピン６１は表示体本体２の裏面から突き出ているのに対し、その相手方である凹入部６５は図３又は図４のように取付板３に形成されていて、凹入部６５の長手方向が上記したスライド溝４８の長手方向に一致している。この抜止め機構６は、上記したピン６１及び凹入部６５のほかに、取付板３の端縁を起点として凹入部６５に交差して延び出た差込み孔６６と、この差込み孔６６に対して抜き差しされる差込み片６７（図８参照）とを備えていて、図８に示したように、差込み片６７には、凹入部６５の端部に移動したピン６１を入り込ませてそのピン６１に係合する谷形部６８と図９に示した線状治具２００が引掛けられる係止孔６９とを有している。
【００２７】
抜止め機構６のピン６１は、取付板３に表示体本体２が重ね合わされて着脱手段４の係合部４１の鍔部４３が被係合部４５の孔部４６に挿入されたときに、凹入部６５に挿入され、その後で表示体本体２が取付板３上でスライドされて係合部４１の軸部４２が被係合部４５のスライド溝部４８に挿入されたときに、凹入部６５の端部にまで移動する。この状態で、図８又は図９のように差込み片６７を差込み孔６６に差し込んでその先端をピン６１に乗り越えさせることにより、図８のように差込み片６７の谷形部６８に入り込んだピン６１にその谷形部６８を係合させる。このように、谷形部６８を介して差込み片６７がピン６１に係合していると、凹入部６５内でのピン６１の移動が阻止されるため、上記した着脱手段４の係合部４１が被係合部４５に動かないように固定されて取付板３に表示体本体２が結合される。こうして結合された取付板３と表示体本体２とは、両者の輪郭線がその前領域で一致し、しかも、差込み片６７の端縁６７ａも取付板３や表示体本体２の輪郭線に段差なく連続する。
【００２８】
次に、取付板３に装着されている表示体本体２を取り外すときには、図９に示したように、表示体本体２に形成されている凹所２１を利用して線状治具２００のフック部２１０を差込み片６７の係止孔６９に挿入した後、そのフック部２１０を係止孔６９の孔壁面に引掛けて線状治具２００を矢印Ｐのように引張り出すことによって差込み孔６６から引き抜く。このようにすると、図８に示したピン６１が凹入部６５内で移動自在になるので、表示体本体２を取付板３上でスライドさせて着脱手段４の係合部４１の軸部４２を被係合部４５のスライド溝部４８から退出させ、その後、表示体本体２を取付板３から離して係合部４１の鍔部４３を被係合部４５の孔部４６から引き抜く。
【００２９】
以上説明した取付構造を採用して下地１００に取り付けられている表示体１では、３箇所の着脱手段４のそれぞれの係合部４１が被係合部４５に具備されている係止片４７に離脱可能に引掛けられる鉤形に形成されているため、両者の係合状態を解除する操作や両者を係合させる操作が、取付板３上で表示体本体２を一方向にスライドさせるだけで済むために、取付板３に対する表示体本体２の着脱操作が、ビス止めや接着剤による接合のための操作に比べて格段に容易かつ短時間で行うことができるようになるだけでなく、その操作に熟練を必要としないという利点がある。また、着脱手段４を介して取付板３に表示体本体２を取り付けると、その取付けのための操作を行うだけで、表示体本体２がそれと同じ形状及び大きさの取付板３に高精度で位置ずれなく取り付けられるために、取付け後の見栄えがよくなって容易に高い仕上がり精度が得られる。
【００３０】
また、表示体１が表示体本体２と取付板３とに分かれていて、そのうちの取付板３は下地１００と表示体本体２とを結合するためだけの役割を担っているので、実質的には、表示体本体２が図１０を参照して説明した従来例の表示体１と同等の役割を果たす。そのため、表示体１のメンテナンスや古くなった表示体１の取替え、表示色の変更などについては、取付板３から取り外した表示体本体２に対してメンテナンスを行ったり、古くなった表示体本体２を新しいものに取り替えたり、表示体本体２の表示色の変更を行ったりすることで足りる。そのため、それらのメンテナンスなどに際しては、取付板３に対して表示体本体２を着脱するだけで済むようになり、その結果、着脱時に下地１００や表示体本体２を傷付けたり損傷したりすることがなくなり、また、下地１００や表示体本体２が傷付いたり損傷したりした場合に生じる二次的問題が発生する余地もなくなる。
【００３１】
既述したように、表示体本体２は、光源の光で表示体本体２の表面を発光させるものであっても、ただ単に上記した文字などを象ったものであってもよいけれども、光源の光で表示体本体２の表面を発光させるものとする場合には、表示体本体２に図６又は図７に示したようにＬＥＤのような点光源、あるいは図示していない細い蛍光灯のような線光源を埋入状態で保持させておく。そして、それらの光源Ｌに対する電路を形成する電気コード３００が、表示体本体２に具備された引出し孔２２や取付板３及び下地１００に具備されたコード挿通孔３１，１５０を経て電源まで引き回される。また、光源の光で表示体本体２の表面を発光させる表示体本体２では、そのメンテナンス事項として発光面の清掃や研磨、光源Ｌや電路の保守点検などが含まれ、また、表示色の変更には、光源ＬであるＬＥＤを発光色の異なるＬＥＤに交換する作業などが含まれる。
【００３２】
この実施形態では、着脱手段４の係合部４１を表示体本体２に具備させ、被係合部４５を取付板３に具備させてあるけれども、この点は、係合部４１を取付板３に具備させ、被係合部４５を表示体本体２に具備させてもよい。また、抜止め機構６のピン６１を取付板３側に設け、その凹入部６５や差込み孔６６を表示体本体２側に設けておくことも可能である。
【図面の簡単な説明】
【００３３】
【図１】本考案の実施形態に係る取付構造を採用して下地に取り付けられた表示体の正面図である。
【図２】図１のＩＩ矢視図である。
【図３】同取付構造を説明的に示した概略分解側面図である。
【図４】取付板の正面図である。
【図５】表示体本体の裏面図である。
【図６】取付手順の初期段階を示した一部破断側面図である。
【図７】取付構造の一部破断側面図である。
【図８】抜止め機構による抜止め状態の正面図である。
【図９】差込み片を引き抜く操作を説明的に示した縦断側面図である。
【図１０】表示体の取付構造についての従来例の説明図である。
【符号の説明】
【００３４】
２  表示体本体
３  取付板
４  着脱手段
６  抜止め機構
４１  係合部
４２  軸部
４３  鍔部
４５  被係合部
４６  孔部
４７  係止片
４８  スライド溝部
６１  ピン
６５  凹入部
６７  差込み片
１００  下地
【図１】
0003127738.tif 000003
【図２】
0003127738.tif 000004
【図３】
0003127738.tif 000005
【図４】
0003127738.tif 000006
【図５】
0003127738.tif 000007
【図６】
0003127738.tif 000008
【図７】
0003127738.tif 000009
【図８】
0003127738.tif 000010
【図９】
0003127738.tif 000011
【図１０】
0003127738.tif 000012
【手続補正書】
【提出日】平成18年10月6日(2006.10.6)
【手続補正１】
【補正対象書類名】実用新案登録請求の範囲
【補正対象項目名】全文
【補正方法】変更
【補正の内容】
【実用新案登録請求の範囲】
【請求項１】
表示体本体が下地に固着された取付板に着脱手段を介して接触状態に重なり合って装着されていて、その着脱手段が互いに係脱可能な係合部と被係合部とを備え、表示体本体及び取付板から選ばれる一方側部材に上記係合部が備わり、他方側部材に上記被係合部が備わっていることを特徴とする表示体の取付構造。
【請求項２】
上記取付板に上記表示体本体が複数箇所で上記着脱手段を介して取り付けられていて、それぞれの上記着脱手段において、上記係合部が、上記被係合部に具備されている係止片に離脱可能に引掛けられる鉤形に形成されている請求項１に記載した表示体の取付構造。
【請求項３】
上記係合部の鉤形が、上記一方形部材から突き出た軸部とその軸部の先端に設けられた鍔部とによって形作られ、上記被係合部が、上記他方側部材に形成されて上記鍔部が挿抜される孔部と、上記係止片と、上記係止片により上記孔部に連続して形作られて上記軸部が上記孔部を始点として入出されるスライド溝部と、を有していて、それぞれの上記着脱手段において上記スライド溝部に対する上記軸部の入出方向が同一方向に定められていると共に、上記スライド溝部に上記軸部が挿入されることによって上記係止片が上記鍔部と上記一方側部材とによって挟持されるようになっている請求項２に記載した表示体の取付構造。
【請求項４】
上記スライド溝部が、そのスライド溝部に挿入された上記軸部をその幅方向で位置決めする機能を有している請求項３に記載した表示体の取付構造。
【請求項５】
上記スライド溝部に挿入された上記軸部が、そのスライド溝部から抜け出ることを阻止する抜止め機構が追加されている請求項４に記載した表示体の取付構造。
【請求項６】
上記抜止め機構が、上記一方側部材に設けられて、上記軸部が上記スライド溝部に入出されるときに他方側部材に形成された凹入部内で移動されるピンと、上記取付板の側方から行う操作を通じて上記凹入部に抜き差しされ、かつ、上記軸部が上記スライド溝部に挿入されているときに上記凹入部に差し込まれることにより上記ピンに係合してそのピンの移動を阻止する差込み片とからなる請求項５に記載した表示体の取付構造。
【手続補正２】
【補正対象書類名】明細書
【補正対象項目名】００１６
【補正方法】変更
【補正の内容】
【００１６】
そして、この抜止め機構が、上記一方側部材に設けられて、上記軸部が上記スライド溝部に入出されるときに他方側部材に形成された凹入部内で移動されるピンと、上記取付板の側方から行う操作を通じて上記凹入部に抜き差しされ、かつ、上記軸部が上記スライド溝部に挿入されているときに上記凹入部に差し込まれることにより上記ピンに係合してそのピンの移動を阻止する差込み片とからなる、という構成を採用することが可能である。この構成の抜止め機構は、ピンと差込み片とによって安価に構成することが可能である。